(57)【要約】      （修正有）【課題】避難生活において、閉塞感を緩和し、安心感を得ることができ、避難者の心のケアを行うことができる間仕切りを提供する。【解決手段】本考案の間仕切り１は、パイプと継手で組み立てた骨格に、図柄を印刷した布地または壁紙である壁面部６を取り付けて構成し、図柄は和室や障子を描いて住宅内の部屋のような空間となるようにしているので、閉塞感を緩和し、安心感を得ることができ、避難者の心のケアを行うことができる。【選択図】図２
0003233334.tif 000002
【実用新案登録請求の範囲】
【請求項１】
避難所において避難者のプライバシーを保護するための間仕切りであって、間仕切りの内側の壁面部に図柄を施すことにより避難者の心のケアを行うことを特徴とする避難所用間仕切り。
【請求項２】
前記壁面部は、
パイプと継手により組み立てられた骨格に、図柄を印刷した布地または壁紙を取り付けたものであることを特徴とする、前記請求項１記載の避難所用間仕切り。
【請求項３】
前記壁面部は、
１枚の段ボール板で構成されている、複数の箇所に折り曲げ可能な部位を有し、内側になる壁部と外側になる壁部を有し、前記壁部の境界線で折り曲げることによって側面視で略逆Ｖ字型の壁部を構成でき、内側または外側になる壁部の一方の側部に接合部を有している間仕切りにおいて、
前記内側になる壁部に、図柄を印刷した紙材質または布材質の内装材を貼り付けるものであることを特徴とする、前記請求項１記載の避難所用間仕切り。
【請求項４】
前記壁面部の図柄は、和室や障子を描いたものであることを特徴とする、前記請求項１から３のいずれかに係る避難所用間仕切り。
【考案の詳細な説明】
【技術分野】
【０００１】
本考案は、災害により学校の体育館や自治体の公民館などで避難生活をしなければならなくなった際に使用する間仕切りに関するものである。  
【背景技術】
【０００２】
地震や火山噴火やゲリラ豪雨などの災害によって避難所生活を強いられるとき、学校の体育館や自治体の公民館などが避難所として用いられている。学校の体育館や自治体の公民館などといった広い建物内で複数の避難者が同時に生活することになるため、プライバシーの保護が十分に確保できず、避難者にさらなる負担をかけることになってる。
【０００３】
このようなプライバシーの保護の問題に対して様々な間仕切りが提案されており、例えば特許文献１のように固定用の部材を使用することなく組み立てを容易にした間仕切りなどが知られている。
【先行技術文献】
【特許文献】
【０００４】
【特許文献１】特開２０１０−２５５２３８号公報
【考案の概要】
【考案が解決しようとする課題】
【０００５】
特許文献１のようにプライバシー保護のために様々な間仕切りが提案されているが、避難生活が長期にわたるにつれて避難者の精神的負担が大きくなる点は変わらない。
【０００６】
また、間仕切りはプライバシーの保護を可能にするが、代わりに間仕切りに囲まれた空間で生活することになり閉塞感を与える一面もある。
【０００７】
さらに、避難所に用いられる間仕切りは基本的に単色であるから、単色の間仕切りに囲まれた空間での生活が長期にわたれば閉塞感から精神がより疲弊する恐れがある。
【０００８】
このような状況から、避難者の心のケアができる間仕切りが望まれている。
【課題を解決するための手段】
【０００９】
本考案は、避難所において避難者のプライバシーを保護するための間仕切りであって、間仕切りの内側の壁面部に図柄を施すことを特徴とする。
【００１０】
また実施例の１つとして、前記壁面部は、
パイプと継手により組み立てられた骨格に、図柄を印刷した布地または壁紙を取り付けたものであることを特徴とする。
【００１１】
また実施例の１つとして、前記壁面部は、
１枚の段ボール板で構成されている、複数の箇所に折り曲げ可能な部位を有し、内側になる壁部と外側になる壁部を有し、前記壁部の境界線で折り曲げることによって側面視で略逆Ｖ字型の壁部を構成でき、内側または外側になる壁部の一方の側部に接合部を有している間仕切りにおいて、
前記内側になる壁部に、図柄を印刷した紙材質または布材質の内装材を貼り付けるものであることを特徴とする。
【００１２】
また、壁面部に印刷する図柄を和室や障子を用いて住宅内の部屋のような空間となるようにすることを特徴とする。     
【考案の効果】
【００１３】
避難所において避難者のプライバシーを保護するための間仕切りであって、間仕切りの内側の壁面部に図柄を施すことを特徴とするので、閉塞感を緩和し、安心感を得ることができ、長期にわたる避難生活であっても避難者の心のケアを行うことができる。
【００１４】
壁面部の図柄は、和室や障子を描いたものであることを特徴とするので、普段の生活空間に近い空間を実現でき、和室や障子といった日本人の和（なごみ）の関する図柄を描くことで、心を落ち着かせ、閉塞感を緩和し、安心感を得ることができ、避難者の心のケアができる。
【図面の簡単な説明】
【００１５】
【図１】図１は、パイプと継手で組み立てられた骨格を表す図である。
【図２】図２は、パイプと継手を使用した間仕切りを表す図である。
【図３】図３は、間仕切りに描く図柄の例を表す図である。
【図４】図４は、間仕切りに用いるパイプ２を表す図であり、図４ａはパイプ２の正面図、図４ｂはパイプ２の右側面図である。
【図５】図５は、間仕切りに用いる継手３を表す図であり、図５ａは継手３の正面図、図５ｂは右側面図、図５ｃは下面図である。
【図６】図６は、間仕切りに用いる継手４を表す図であり、図６ａは継手４の正面図、図６ｂは継手４の右側面図である。
【図７】図７は、段ボール間仕切りの組み立てて図柄を貼り付けた状態を表す図である。
【図８】図８は、段ボール間仕切りの展開図である。
【図９】図９は、連結させた段ボール間仕切りの内側の壁面部に図柄を貼り付けた状態を表す図である。
【考案を実施するための形態】
【００１６】
（実施例１）
図１から図６を用いて本考案の実施例１の間仕切り１を説明する。
本考案の間仕切り１は図１と図２で表したように、パイプ２と継手３と継手４で組み立てた骨格５に、図柄を印刷した布地または壁紙である壁面部６を取り付けて構成されている。
以下に間仕切り１を構成するパイプ２、継手３、継手４の説明をする。
【００１７】
図４を用いて骨格５を構成するパイプ２を説明する。
パイプ２は外形が同じ大きさであって、長さが３種類ある。実施例１ではパイプ２を１１本使用している。図１に表したように、地面に対して垂直に配置する支柱となるパイプ２ａが４本、短手方向に配置するパイプ２ｂが４本、長手方向に配置するパイプ２ｃが３本である。
【００１８】
図５を用いて骨格５を形成する継手３を説明する。
継手３はパイプ２を嵌め合わせる穴３’を３つ有する３方向継手であり、実施例１では継手３を６個使用する。
【００１９】
図６を用いて骨格５を形成する継手４を説明する。
継手４はパイプ２を嵌め合わせる穴４’を２つ有する２方向継手であり、実施例１では継手４を２個使用する。
【００２０】
続いて、パイプ２、継手３、継手４を用いて骨格５を組み立てる方法を説明する。
図１のように手前の地面と接する位置に２方向の継手４を２つ配置し、奥に３方向の継手３を２つ配置して、継手４と継手３の間に短手方向に配置するパイプ２ｂを１本ずつ嵌め、奥に配置した継手３と継手３の間に長手方向に配置するパイプ２ｃを嵌め、全ての継手のパイプ２を嵌めていない穴が上方向を向くようにする。次に、上方向に向いている継手の穴に支柱２ａを４本嵌めて、その上に継手３を４つ嵌める。そして、４つの継手３の間に短手方向に配置するパイプ２ｂを２本と長手方向に配置するパイプ２ｃを２本嵌めて骨格５が組み立てられる。このように組み立てられた骨格は、地面に接している、長手方向に配置するパイプ２ｃが１本ない状態であるので、出入り口とすれば良い。
【００２１】
次に、骨格５に壁面部６を取り付けて間仕切り１とする方法を説明する。
図柄を印刷した布地または壁紙である壁面部６に、図２に表したように外周の際に穴７をあけ、ハトメを通した後、図柄が印刷された面が内側となるように紐８で骨格５に取り付ける。穴７と紐８の取付数は壁面部６が固定できる程度であれば数は限定しない。
なお、図２では説明の容易のため、手前側に壁面部６を取り付けていないが、上方の長手方向に配置するパイプ２ｃに垂らすような形で取り付ければ、めくるだけで出入りできるようになるため、このように取り付けることが望ましい。
【００２２】
間仕切り１の内側の壁面部６に施す図柄を図３を用いて説明する。
間仕切りの内側の壁面部に施す図柄は、図３で表したように和室や障子を描いて住宅内の部屋のような空間となるようにしている。このように和室や障子といった日本人の和（なごみ）の関する図柄を描くことで、心を落ち着かせ、閉塞感を緩和し、安心感を得ることができ、避難者の心のケアができる。
なお、図柄は避難者が閉塞感を緩和し安心感を得ることができるものを選択すれば良く、和室や障子を限定するものではない。
【００２３】
なお、実施例１では骨格５を長方形の形としたが、パイプの長さは避難所の大きさや形に合わせて構成すれば良く、正方形のような形としてもかまわない。
また、実施例１は継手３と継手４を組み合わせて骨格５を組み立てたが、全て３方向継手４を使って長手方向に配置するパイプ２ｃを４本にして骨格５としても良い。
【００２４】
また、実施例１では図面を印刷した布地または壁紙である壁面部６を、外周の際に穴７をあけ、ハトメを通して紐８で固定したが、間仕切り１に図面を印刷した布地または壁紙である壁面部６を取り付けることができれば良く、パイプ２にカーテンクリップを通して壁面部６を留めて固定する、片面テープを壁面部６の片面に貼り、パイプ２の上を通して反対側の面に貼り付けて固定するというようにしても良い。
【００２５】
（実施例２）
本考案の段ボール間仕切りの実施例２について説明する。図７及び図８に示すように段ボール間仕切り１１は、壁部１１ａ及び１１ｂを有しており、この壁部１１ａ及び１１ｂの折り曲げ位置において幅方向の端部から所定の距離分だけ壁部の内側方向へ接続穴１１ｃ，１１ｃを設けている。そして、壁部１１ａの下部には底板部１２を有し、壁部１１ａと底板部１２の折り線に当接するように壁部１１ａには嵌合穴１１ｄ，１１ｄが設けられている。
【００２６】
底板部１２の幅方向の一端には係止片１２ａ、もう一方の一端には、係止片１２ａが嵌合する嵌合部１２ｂが設けられており、壁部１１ｂの下部には立設部１３を有し、立設部１３には接合片１３ａ，１３ａが設けられている。そして壁部１１ａの向かって左側には接合部１４を有し（図７参照）、接合部１４の上部には接合片１４ａを設けている。
【００２７】
内側になる壁部１１ａには図７で表したように内装材１５を張り付けている。内装材１５は図柄を印刷した紙材質または布材質である。
内装材１５の大きさは、横幅が壁部１１ｂと同じ長さで、縦幅が壁部１１ａと壁部１１ｂの折り目から壁部１１ａと底板部１２の折り目までの長さより２ｃｍ短い。
このような大きさとすることで接続穴１１ｃと篏合穴１１ｄに干渉せずに壁面部１１ａに糊で貼り付けている。
なお、貼り付けは糊を限定するものではなく、面ファスナーを使用しても良い。面ファスナーを用いることで、長期の避難生活において避難者が図柄を変更することができる。
また、内装材の大きさは接続穴１１ｃと篏合穴１１ｄに干渉しない大きさであれば良く、大きさを限定するものではない。
【００２８】
上記の段ボール間仕切り１１を図９のように組立て、複数を連結して避難者の居住スペースを設けるとき、内側になる壁部１１ａに内装材１５を貼り付けてあるので、閉塞感を緩和し、安心感を得ることができ、避難者の心のケアができる。
【００２９】
間仕切りの内側の壁面部に施す図柄は、複数を連結して避難者の居住スペースを設けたとき、和室や障子を描いて住宅内の部屋のような空間となるようにしているので、長期にわたる避難生活での避難者の心のケアにより効果的である。
【符号の説明】
【００３０】
１    間仕切り
２    パイプ
２ａ  支柱となるパイプ
２ｂ  短手方向に配置するパイプ
２ｃ  長手方向に配置するパイプ
３    継手
３ａ  穴
４    継手
４ａ  穴
５    骨格
６    図柄を印刷した布地または壁紙である壁面部
７    穴
８    紐
１１    段ボール間仕切り
１１ａ  壁部
１１ｂ  壁部
１１ｃ  接続穴
１１ｄ  嵌合穴
１２    底板部
１２ａ  系止片
１２ｂ  嵌合部
１３    立接部
１３ａ  接合片
１４    接合部
１４ａ  接合片
１５    内装材
【図１】
0003233334.tif 000003
【図２】
0003233334.tif 000004
【図３】
0003233334.tif 000005
【図４】
0003233334.tif 000006
【図５】
0003233334.tif 000007
【図６】
0003233334.tif 000008
【図７】
0003233334.tif 000009
【図８】
0003233334.tif 000010
【図９】
0003233334.tif 000011